(57)【特許請求の範囲】
【請求項１】
アングル部に連結した先端硬質部に少なくとも照明手段及び観察手段を装着し、照明手段は照明用レンズ鏡胴内に装着した照明用レンズにライトガイドの出射端を臨ませたものであり、また観察手段は少なくとも対物レンズ鏡胴内に対物光学系を設けたものから構成される内視鏡の挿入部において、
前記先端硬質部は、少なくとも前記照明用レンズ鏡胴及び対物レンズ鏡胴からなる内視鏡内挿通部材を挿通させる貫通孔を形成した先端部本体と、この先端部本体が所定の長さにわたって嵌合される先端筒部とから構成され、
前記各内視鏡内挿通部材の外周面には、それぞれ位置決め突起が設けられ、
前記先端筒部には、前記各位置決め突起が実質的に密嵌状に係止される係止孔が形成され、
前記先端部本体の外周面に円環状のフランジ部と円環状突条とを設けて、これらフランジ部と円環状突条との間に凹部が形成され、
前記先端筒部の端面は前記先端部本体の前記円環状突条に突き当てられ、前記先端部本体は前記先端筒部に対して前記各係止孔の形成位置より先端側に配置され、
前記アングル部の外皮層の先端を前記先端部本体の前記凹部内に延在させて、この凹部内で固定させる
構成としたことを特徴とする内視鏡の挿入部。
【請求項２】
前記先端硬質部には、他の内視鏡内挿通部材として、さらに処置具ガイド手段の導出口を設け、この処置具ガイド手段は処置具挿通チャンネルの先端部が嵌合される処置具挿通パイプから構成し、前記先端部本体には、概略１２０°毎に３箇所の貫通孔を形成すると共に、前記先端筒部には３箇所の係止孔を形成し、これらの内視鏡内挿通部材には前記各係止孔に係止される位置決め突起を形成する構成としたことを特徴とする請求項１記載の内視鏡の挿入部。
【請求項３】
前記各内視鏡内挿通部材の外周面には、前記先端筒部の内面とほぼ一致する曲率をもった円弧状のスペーサが設けられ、前記位置決め突起はこれらのスペーサの表面から突出するように設ける構成としたことを特徴とする請求項１または請求項２のいずれかに記載の内視鏡の挿入部。
【請求項４】
前記先端筒部は、前記アングル部を構成する最先端リングに止着ピンで連結する構成としたことを特徴とする請求項３記載の内視鏡の挿入部。
【請求項５】
前記凹部内に配置した前記外皮層の先端部の外周に糸巻きして接着剤を塗布することにより固定する構成としたことを特徴とする請求項１記載の内視鏡の挿入部。
【発明の詳細な説明】
【０００１】
【発明の属する技術分野】
本発明は医療用等として用いられる内視鏡の挿入部に関するものであり、特に細径に形成した挿入部に関するものである。
【０００２】
【従来の技術】
医療用等として用いられる内視鏡は、本体操作部に体腔内等への挿入部を連設し、また本体操作部から少なくとも光源装置に接続されるユニバーサルコードにより構成されるものである。内視鏡の挿入部は、先端側から、先端硬質部、アングル部及び軟性部で構成されるが、先端硬質部には少なくとも照明手段と観察手段とが設けられる。また、これらに加えて、鉗子その他の処置具を挿通するための処置具挿通チャンネル等も設けられる。
【０００３】
照明手段は、ライトガイドと、このライトガイドの出射端に臨むように配置した照明用レンズとを含むものである。照明用レンズは照明用レンズ鏡胴内に装着され、またライトガイドの出射側は所定の長さだけこの照明用レンズ鏡胴内に挿入されている。観察手段は、対物光学系を有し、この対物光学系の結像位置にはＣＣＤ等の固体撮像素子が配置されるか、またはイメージガイドの入射端が臨むようになっている。対物光学系は少なくとも対物レンズを含む光学素子が対物レンズ鏡胴内に装着される。固体撮像素子は対物レンズ鏡胴に固定され、またイメージガイドを用いる場合には、その入射側における所定の長さ分が対物レンズ鏡胴に挿入される。さらに、処置具挿通チャンネルは軟性のチューブからなり、その先端には硬質の処置具挿通パイプに嵌合されている。
【０００４】
そして、先端硬質部には前述した照明手段，観察手段及び処置具挿通チャンネルを接続するための貫通孔が設けられ、照明用レンズ鏡胴，対物レンズ鏡胴及び処置具挿通パイプがこれらの貫通孔に挿通される。このように、照明用レンズ鏡胴，対物レンズ鏡胴及び処置具挿通パイプは先端硬質部に設けた貫通孔に固定するが、固定方式としては、まず接着剤等を用いて固着する方式がある。また、少なくとも対物レンズ鏡胴については先端硬質部の側面に止めねじを螺挿してこの止めねじを対物レンズ鏡胴の外周面に押し付けることによって固定する方式が一般的に採用される。
【０００５】
【発明が解決しようとする課題】
前述した照明用レンズ鏡胴，対物レンズ鏡胴及び処置具挿通パイプの固定方式のうち、接着剤等で直接固着する方式にあっては、これら各部材を組み付けた後に容易に分解できなくなるために、それらの修理や交換が極めて面倒になったり、部分的な修理を行えない場合もある等といった問題点がある。対物レンズ鏡胴を止めねじで固定する構成としているのは、観察手段の修理や部品交換等を容易にするためである。従って、止めねじを脱着することにより対物レンズ鏡胴は先端硬質部から容易に脱着できるが、このタイプの固定する方式では、止めねじを装着する分だけ先端硬質部の外径が太くなってしまうという問題点がある。特に、細い体腔管内等に挿入するために、挿入部の外径寸法を極めて細くしなければならない場合には、各部材の固定を止めねじで行うのは実質的に不可能な場合もある。
【０００６】
本発明は以上の点に鑑みてなされたものであって、その目的とするところは、挿入部における先端硬質部を格別太径化させることなく、挿入部に装着される各部材を容易に着脱できるようにして先端硬質部に固定することにある。
【０００７】
【課題を解決するための手段】
前述した目的を達成するために、本発明は、アングル部に連結した先端硬質部に少なくとも照明手段及び観察手段を装着し、照明手段は照明用レンズ鏡胴内に装着した照明用レンズにライトガイドの出射端を臨ませたものであり、また観察手段は少なくとも対物レンズ鏡胴内に対物光学系を設けたものから構成される内視鏡の挿入部であって、前記先端硬質部は、少なくとも前記照明用レンズ鏡胴及び対物レンズ鏡胴からなる内視鏡内挿通部材を挿通させる貫通孔を形成した先端部本体と、この先端部本体が所定の長さにわたって嵌合される先端筒部とから構成され、前記各内視鏡内挿通部材の外周面には、それぞれ位置決め突起が設けられ、前記先端筒部には、前記各位置決め突起が実質的に密嵌状に係止される係止孔が形成され、前記先端部本体の外周面に円環状のフランジ部と円環状突条とを設けて、これらフランジ部と円環状突条との間に凹部が形成され、前記先端筒部の端面は前記先端部本体の前記円環状突条に突き当てられ、前記先端部本体は前記先端筒部に対して前記各係止孔の形成位置より先端側に配置され、前記アングル部の外皮層の先端を前記先端部本体の前記凹部内に延在させて、この凹部内で固定させる構成としたことをその特徴とするものである。
【０００８】
先端硬質部には、さらに処置具の通路を開口させて設ける構成とするのが望ましい。この場合には、挿入部内に設けた処置具挿通チャンネルの先端に処置具挿通パイプを連結するようになし、この処置具挿通パイプを先端部本体に装着するために、先端部本体には、概略１２０°毎に３箇所の貫通孔を形成する。そして、他の内視鏡内挿通部材として、照明用レンズ鏡胴，対物レンズ鏡胴及び処置具挿通パイプを挿通するようになし、かつ先端筒部に３箇所の係止孔を設けて、これら各部材にはそれぞれ係止孔に係止される位置決め突起を設ける構成とする。
【０００９】
【発明の実施の形態】
以下、図面に基づいて本発明の実施の形態を説明する。而して、図１に内視鏡の全体構成を示す。同図において、１は本体操作部、２は挿入部、３はユニバーサルコードである。挿入部２は先端側から先端硬質部２ａ，アングル部２ｂ及び軟性部２ｃから構成されている。軟性部２ｃは挿入部２における大半の長さを構成するものであり、体腔内等への挿入経路に沿って任意の方向に曲がる軟性構造のものである。また、アングル部２ｂは、本体操作部１に設けたアングル操作手段４を操作することによって、遠隔操作で湾曲させるためのものであって、これによって先端硬質部２ａを所望の方向に向けることができるようになっている。そして、先端硬質部２ａには、図２に示したように、照明手段１０，観察手段２０及び処置具ガイド手段３０が設けられている。なお、内視鏡は、最低限、照明手段１０と観察手段２０とを備えておれば良く、処置具ガイド手段３０は必ずしも設ける必要はなく、また前述した各部材に加えて、観察手段２０を洗浄するための送気送液管等を設けることもできる。
【００１０】
次に、内視鏡に設けられる照明手段１０，観察手段２０及び処置具ガイド手段３０の具体的な構成を図３に示す。なお、以下の説明においては、これら照明手段１０，観察手段２０及び処置具ガイド手段３０を総称する際には、内視鏡内挿通部材という。
【００１１】
照明手段１０は、照明光の伝送手段として、光ファイババンドルからなるライトガイド１１と、このライトガイド１１の出射端面１１ａに対面するように配置した照明用レンズ１２（発散レンズ）とを有し、この照明用レンズ１２は照明用レンズ鏡胴１３の先端部に嵌合されている。また、ライトガイド１１の出射端面１１ａもこの照明用レンズ鏡胴１３内に挿入されている。そして、ライトガイド１１は、挿入部２から本体操作部１を経てユニバーサルコード３内に延在されており、このユニバーサルコード３の先端に設けたコネクタを光源装置（図示せず）に接続することによって、照明光を伝送できるように構成されている。
【００１２】
観察手段２０は対物光学系２１を備え、この対物光学系２１の光路の途中にプリズム２１ａを設けて、このプリズム２１ａにより光路を９０°曲げた上で、その結像位置に固体撮像素子２２が配置される。固体撮像素子２２は基板２３に搭載されている。対物光学系２１は対物レンズ鏡胴２４内に装着されており、また固体撮像素子２２は、例えばプリズム２１ａに固着して設けられる。そして、この固体撮像素子２２を搭載した基板２３からはケーブル２５が引き出されており、このケーブル２５はライトガイド１１と同様、本体操作部１からユニバーサルコード３内に挿通されて、プロセッサ（図示せず）に着脱可能に接続される。なお、観察手段２０としては、固体撮像素子２２に代えて、イメージガイドを用いることもできる。この場合には、本体操作部１に接眼部を装着して、イメージガイドの入射端を対物光学系２１の結像位置に配置すると共に、その出射端を接眼レンズを装着した接眼部に臨ませるように構成する。
【００１３】
さらに、処置具ガイド手段３０は、鉗子や高周波処置具等の処置具を内視鏡をガイド手段として体腔内に挿入して、患部の治療等、適宜の処置を施すためのものである。処置具ガイド手段３０は、曲げ方向に可撓性を有するチューブ材からなる処置具挿通チャンネル３１の先端を、金属等の硬質パイプからなる処置具挿通パイプ３２を嵌合・固定することにより構成される。そして、処置具挿通チャンネル２１は本体操作部１の挿入部２への連設部近傍にまで延在されて、この位置に設けた処置具導入部５に接続される。
【００１４】
以上の構成を有する照明手段１０，観察手段２０及び処置具ガイド手段３０からなる各内視鏡内挿通部材の先端部分、つまり照明用レンズ鏡胴１３，対物レンズ鏡胴２４及び処置具挿通パイプ３２が先端硬質部２ａに固定される。そこで、図４乃至図６に、この先端硬質部２ａの構造及びアングル部２ｂへの連結構造を示す。
【００１５】
図４等から明らかなように、先端硬質部２ａは、共に金属，硬質プラスチック等の硬質部材からなる先端筒部４０と、先端部本体４１とから構成される。先端筒部４０は、所定長さを有する円筒形の部材からなり、図５に示したように、アングル部２ｂを構成する最先端のアングルリング７に２箇所設けた止着ピン８により連結される。先端部本体４１は先端筒部４０の先端側から所定の長さだけ挿嵌され、もって先端硬質部２ａが形成される。先端部本体４１には、軸線方向に貫通するように、３箇所の貫通孔４２ａ〜４２ｃが穿設されており、内視鏡内挿通部材を構成する照明用レンズ鏡胴１３，対物レンズ鏡胴２４及び処置具挿通パイプ３２は、これら各貫通孔４２ａ〜４２ｃ内に挿通され、これら内視鏡内挿通部材の先端は先端部本体４１の先端面とほぼ同じ位置に配置されている。先端筒部４０と先端部本体４１との嵌合部、及び照明用レンズ鏡胴１３，対物レンズ鏡胴２４及び処置具挿通パイプ３２の装着部は、接着剤や止めねじ等を用いず、しかも固定的に保持されるようになっている。
【００１６】
このために、内視鏡内挿通部材には、それぞれ外周面に所定の厚みを有し、図６から明らかなように、先端筒部４０の内面とほぼ一致する曲率をもった円弧状のスペーサ４３ａ〜４３ｃが設けられており、これらスペーサ４３ａ〜４３ｃの表面から位置決め突起４４ａ〜４４ｃを突出するように設けられている。一方、先端筒部４０には、各位置決め突起４４ａ〜４４ｃが実質的に密嵌状態に嵌合される係止孔４５ａ〜４５ｃが穿設されている。従って、各内視鏡内挿通部材は、それぞれ位置決め突起４４ａ〜４４ｃを先端筒部４０に穿設した係止孔４５ａ〜４５ｃに嵌合させ、かつスペーサ４３ａ〜４３ｃの表面を先端筒部４０の内面に当接させるように組み込まれる。これら各内視鏡内挿通部材は先端筒部４０の先端部から所定の長さ突出している。そして、先端筒部４０に係止された各内視鏡内挿通部材の先端側における所定長さ分は先端部本体４１の貫通孔４２ａ〜４２ｃ内に挿入され、かつ先端部本体４１が先端筒部４０内の所定の位置まで挿入される。
【００１７】
内視鏡内挿通部材を構成する照明用レンズ鏡胴１３，対物レンズ鏡胴２４及び処置具挿通パイプ３２は先端硬質部２ａに固定的に保持される。これらに設けた位置決め突起４４ａ〜４４ｃが先端筒部４０の係止孔４５ａ〜４５ｃに実質的に密嵌状態に嵌合され、かつ先端部本体４１の貫通孔４２ａ〜４２ｃ内に挿通されているので、これら各内視鏡内挿通部材は先端硬質部２ａに完全に固定される。先端部本体４１は、先端筒部４０の先端側から先端筒部４０における係止孔４５ａ〜４５ｃの手前位置にまで挿嵌されている。先端部本体４１は先端筒部４０に嵌合された状態で、軸線方向にみだりに動かないように固定されなければならない。先端部本体４１を先端筒部４０にほぼ密嵌状に嵌合させるために、先端部本体４１の外径と先端筒部４０の内径とはほぼ一致する寸法としている。
【００１８】
まず、先端部本体４１における先端近傍の外周面に円環状突条４６が設けられている。この円環状突条４６の高さは先端筒部４０の厚み寸法と同じか、またはそれより小さい寸法となっている。そして、先端部本体４１の円環状突条４６が先端筒部４０に当接した時に、この先端部本体４１の嵌合部の端部は係止孔４５ａ〜４５ｃの開設位置の手前に位置するように設定している。つまり、円環状突条４６は、先端部本体４１の先端筒部４０への嵌合長が係止孔４５ａ〜４５ｃと干渉しない位置となるように保持するストッパとして機能する。また、先端部本体４１の先端外周面には円環状のフランジ部４７が形成されている。従って、円環状突条４６とフランジ部４７との間には円環状の凹部４８が形成される。アングル部２ｂの外皮層６は、その先端がこの凹部４８内にまで延在されている。そして、フランジ部４７は、先端筒部４０の外面より高く、しかも外皮層６の外面と同じか、それより低い位置まで延在されている。外皮層６の先端部外周面には糸巻き４９が行われるようになっており、弾性部材からなる外皮層６はこの糸巻き４９により凹部４８内で圧縮される。さらに、この糸巻き４９の部分を固定するために、凹部４８内には接着剤５０が充填される。その結果、先端部本体４１が先端筒部４０から先端側に逸脱しないように保持される。その結果、先端部本体４１と先端筒部４０とは固定関係となるように組み込まれる。
【００１９】
以上のように構成することによって、内視鏡の挿入部２には照明手段１０，観察手段２０及び処置具ガイド手段３０が安定した状態に組み込まれる。この挿入部２を体腔内に挿入して、照明手段１０から照射される照明光の照射下で観察手段２０を介して体腔内の状態を観察できる。また、観察手段２０による観察の結果、患部が発見された時等には、処置具ガイド手段３０内に鉗子その他の処置具を挿通させることにより、患部の摘出や、細胞の採取等といった適宜の処置を行うことができる。
【００２０】
照明手段１０，観察手段２０及び処置具ガイド手段３０は、挿入部２に着脱可能となる。まず、挿入部２を構成する先端硬質部２ａのうち、先端筒部４０はアングル部２ｂにおける最先端のアングルリング７に止着ピン８により連結した状態に保持されている。そして、内視鏡内挿通部材を組み込むに当っては、先端部本体４１はこの先端筒部４０から脱着しておく。この状態で、挿入部２の基端側から照明手段１０，観察手段２０及び処置具ガイド手段３０を挿入して、照明用レンズ鏡胴１３，対物レンズ鏡胴２４及び処置具挿通パイプ３２を先端筒部４０内に導く。そして、照明用レンズ鏡胴１３の外面に設けた位置決め突起４４ａを先端筒部４０の係止孔４５ａに、また対物レンズ鏡筒２４の外面に設けた位置決め突起４４ｂを係止孔４５ｂに、さらに処置具挿通パイプ３２の外面に設けた位置決め突起４４ｃを係止孔４５ｃにそれぞれ係止させ、スペーサ４３ａ〜４３ｃを先端筒部４０の内面に当接させる。ここで、位置決め突起４４ａ〜４４ｃは係止孔４５ａ〜４５ｃに対して実質的に密嵌状態に嵌合されるので、これら照明用レンズ鏡胴１３，対物レンズ鏡胴２４及び処置具挿通パイプ３２は先端筒部４０に保持される。つまり、スナップアクション作用と実質的に同じ作用によりこれらは先端筒部４０に係止される。
【００２１】
先端筒部４０の係止孔４５ａ〜４５ｃは円周方向に位置を変えて設けられている。本実施の形態では、これらは等しい角度毎、つまり１２０°毎に形成し、各係止孔４５ａ〜４５ｃの大きさを同じしている。しかしながら、これらの係止孔４５ａ〜４５ｃの配置関係若しくは大きさを変えても良い。係止孔４５ａ〜４５ｃの大きさを変え、またそれらに係止される位置決め突起４４ａ〜４４ｃの大きさも変えるようにすれば、照明用レンズ鏡胴１３，対物レンズ鏡胴２４及び処置具挿通パイプ３２は必ず所定の位置関係となるように装着できる。また、係止孔４５ａ〜４５ｃの円周方向の位置関係も、必ずしも等間隔ではなく、例えば照明用レンズ鏡胴１３の係止孔４５ａと対物レンズ鏡胴２４の係止孔４５ｂとを接近させることもできる。
【００２２】
照明用レンズ鏡胴１３，対物レンズ鏡胴２４及び処置具挿通パイプ３２からなる内視鏡内挿通部材は先端筒部４０から所定の長さだけ突出している。そこで、先端筒部４０の先端側から先端部本体４１を嵌合させる。この時に、前述した各内視鏡内挿通部材は、先端部本体４１に設けた貫通孔４２ａ〜４２ｃに挿入されることになる。ここで、貫通孔４２ａ〜４２ｃから先端部本体４１の外周面までは所定の厚みがあるが、照明用レンズ鏡胴１３，対物レンズ鏡胴２４及び処置具挿通パイプ３２にはそれぞれスペーサ４３ａ〜４３ｃが設けられているので、これらは先端筒部４０の内面からスペーサ４３ａ〜４３ｃの厚み分だけ離間しており、このスペーサ４３ａ〜４３ｃの厚みと貫通孔４２ａ〜４２ｃから先端部本体４１の外周面までは所定の厚みとを一致させておくことによって、先端部本体４１の貫通孔４２ａ〜４２ｃ内に挿入されることになる。なお、本実施の形態においては、照明用レンズ鏡胴１３，対物レンズ鏡胴２４及び処置具挿通パイプ３２と、これらが挿通される先端部本体４１の貫通孔４２ａ〜４２ｃとを実質的に同じ寸法にしているが、それぞれの寸法関係は必ずしも同じにする必要はなく、例えば処置具挿通パイプ３２及びそれが挿通される貫通孔４２ｃを他より大きくすることもできる。
【００２３】
先端部本体４１の外周面に設けた円環状突条４６が先端筒部４０に当接する位置にまで挿入される。この状態で、アングル部２ｂの外皮層６を先端部本体４１に形成した凹部４８の位置にまで引き出す。そして、糸巻き４９及び接着剤５０の充填により先端部本体４１は先端筒部４０に嵌合した状態で固定される。これによって、照明用レンズ鏡胴１３，対物レンズ鏡胴２４及び処置具挿通パイプ３２からなる内視鏡内挿通部材は先端硬質部２ａに対して、止めねじ等の固定手段を用いることなく固定できる。その結果、この先端硬質部２ａの細径化が図られる。
【００２４】
挿入部２の内部は気密状態に保持しなければならない。先端筒部４０には、係止孔４４ａ〜４４ｃが設けられているが、この係止孔４４ａ〜４４ｃは最終的には外皮層６で覆われて閉塞状態となる。また、先端部本体４１は先端筒部４０に挿嵌されているが、この挿嵌部も外皮層６で覆われており、しかも外皮層６と先端部本体４１との間には接着剤５０が充填されている。従って、この接着剤５０にシールを発揮させるようになし、しかも全周にわたって完全に覆うようにすることにより、気密を確保される。さらに、先端部本体４１には照明用レンズ鏡胴１３，対物レンズ鏡胴２４及び処置具挿通パイプ３２を挿通させた貫通孔４２ａ〜４２ｃが設けられているが、その間には接着機能を有しないシール材を充填することにより密閉することができる。ここで、貫通孔４２ａ〜４２ｃの開口径と各内視鏡内挿通部材の外径との寸法差をできるだけ小さくすることにより、少量のシール材を充填するだけで、完全に気密構造とすることができる。
【００２５】
しかも、照明手段１０，観察手段２０及び処置具ガイド手段３０は、挿入部２に対して容易に着脱できる。即ち、先端部本体４１の凹部４８内において、外皮層６の先端部を固定している接着剤５０を剥すと共に、糸巻き４９を取り外す。これによって、外皮層６は先端部本体４１から分離される。そうすると、先端部本体４１の先端筒部４０の先端側への抜け出しを規制するものはなくなる。従って、先端部本体４１を引き出すことにより先端筒部４０から脱着できる。しかも、先端部本体４１の凹部４８は先端筒部４０の先端面より突出しているので、手で容易に引き出すことができる。また、照明用レンズ鏡胴１３，対物レンズ鏡胴２４及び処置具挿通パイプ３２は、それらに設けた位置決め突起４４ａ〜４４ｃが先端筒部４０の係止孔４５ａ〜４５ｃに係止されているに過ぎないので、係止孔４５ａ〜４５ｃの外面側から治具を挿入する等、外力を加えると、これら照明用レンズ鏡胴１３，対物レンズ鏡胴２４及び処置具挿通パイプ３２は先端筒部４０及び先端部本体４１からなる先端硬質部２ａから分離される。
【００２６】
従って、この状態で、照明手段１０，観察手段２０若しくは処置具ガイド手段３０を構成する各部の点検や修理等の作業を容易に行うことができる。そして、作業を終了した後の再組み付けは、前述した通りに行えば良い。
【００２７】
【発明の効果】
本発明は以上のように、先端硬質部を先端筒部と、少なくとも照明用レンズ鏡胴及び対物レンズ鏡胴を挿通させる貫通孔を形成した先端部本体とから構成し、照明用レンズ鏡胴及び対物レンズ鏡胴を先端筒部に着脱可能に係止させて、アングル部の外皮層を先端部本体に固定する構成としたので、挿入部における先端硬質部を格別太径化させることなく、挿入部に装着される各部材を容易に着脱できるようにして先端硬質部に固定できる等の効果を奏する。
【図面の簡単な説明】
【図１】内視鏡の外観図である。
【図２】挿入部の先端部分の正面図である。
【図３】内視鏡内挿通部材を構成する照明手段，観察手段及び処置具ガイド手段の要部断面図である。
【図４】各内視鏡内挿通部材と共に示す先端構成部の分解斜視図である。
【図５】図２のＡ−Ａ断面図である。
【図６】図５のＢ−Ｂ断面図である。
【符号の説明】
１  本体操作部    ２  挿入部
２ａ  先端硬質部    ２ｂ  アングル部
２ｃ  軟性部    １０  照明手段
１１  ライトガイド        １２  照明用レンズ
１３  照明用レンズ鏡胴      ２０  観察手段
２１  対物光学系        ２２  固体撮像素子
２４  対物レンズ鏡胴        ３０  処置具ガイド手段
３１  処置具挿通チャンネル      ３２  処置具挿通パイプ
４０  先端筒部      ４１  先端部本体
４２ａ〜４２ｃ  貫通孔        ４４ａ〜４４ｃ  位置決め突起
４５ａ〜４５ｃ  係止孔        ４６  円環状突条
４７  フランジ部        ４８  凹部
４９  糸巻き        ５０  接着剤
【図１】
0003903737.tif 000002
【図２】
0003903737.tif 000003
【図３】
0003903737.tif 000004
【図４】
0003903737.tif 000005
【図５】
0003903737.tif 000006
【図６】
0003903737.tif 000007